(57)【要約】【課題】  カード状の記憶媒体を媒介として異なるフォーマットの情報データを処理する機能の異った情報処理装置相互間で情報データの伝送及び処理が簡単に行える情報伝送システムを提供する。【解決手段】  それぞれ異なるフォーマットの情報データを処理する複数の情報処理装置２〜１１と、第一の情報処理装置で取り扱われる第一のフォーマットの情報データを記憶するための半導体記憶素子を内部に有する記憶媒体１とからなり、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することを特徴とする情報伝送システム。【選択図】  図１
2005100446.tif 000002
【特許請求の範囲】
【請求項１】
それぞれ異なるフォーマットの情報データを処理する複数の情報処理装置と、第一の情報処理装置で取り扱われる第一のフォーマットの情報データを記憶するための半導体記憶素子を内部に有する記憶媒体とからなり、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することを特徴とする情報伝送システム。
【請求項２】
それぞれ異なるフォーマットの情報データを処理する複数の情報処理装置と、第一の情報処理装置で取り扱われる第一のフォーマットの情報データを記憶するための半導体記憶素子を内部に有する記憶媒体とからなり、当該記憶媒体に記憶された第一のフォーマットの情報データを、当該第一のフォーマットの情報データと合わせて当該記憶媒体に記憶されたその第一のフォーマットの情報データの圧縮符号化方法に関する情報と共に読み出し、第二のフォーマットの情報データを処理する第二の情報処理装置で処理することを特徴とする情報伝送システム。
【請求項３】
前記ファイル管理情報は、当該記憶媒体に記憶された前記第一のフォーマットの情報データに関する情報源記述データを含むことを特徴とする請求項１記載の情報伝送システム。
【請求項４】
前記情報源記述データは、当該情報データの名称または属性、当該情報データの表現方法のいずれかの情報を含むものであることを特徴とする請求項３記載の情報伝送システム。
【請求項５】
第一の情報処理装置で取り扱われる第一のフォーマットの情報データを記憶可能な半導体記憶素子を内部に有する記憶媒体を介して、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することを特徴とする情報伝送方法。
【請求項６】
第一の情報処理装置で取り扱われる第一のフォーマットの情報データを記憶可能な半導体記憶素子を内部に有する記憶媒体を介して、当該第一のフォーマットの情報データと合わせて当該記憶媒体に記憶されたその第一のフォーマットの情報データの圧縮符号化方法に関する情報と共に読み出し、第二のフォーマットの情報データを処理する第二の情報処理装置で処理することを特徴とする情報伝送方法。
【請求項７】
前記ファイル管理情報は、当該記憶媒体に記憶された前記第一のフォーマットの情報データに関する情報源記述データを含むことを特徴とする請求項５記載の情報伝送方法。
【請求項８】
前記情報源記述データは、当該情報データの名称または属性、当該情報データの表現方法のいずれかの情報を含むものであることを特徴とする請求項７記載の情報伝送方法。
【請求項９】
第一の情報処理装置と、前記第一の情報処理装置で取り扱われる第一のフォーマットの情報データを、前記第一のフォーマットと異なる第二のフォーマットの情報データを取り扱う第二の情報処理装置で処理するための前記第一のフォーマットの情報データのファイル管理情報と共に記憶するための半導体記憶素子を内部に有する記憶媒体とからなる情報伝送システム。
【請求項１０】
第一の情報処理装置と、前記第一の情報処理装置で取り扱われる第一のフォーマットの情報データを、前記第一のフォーマットと異なる第二のフォーマットの情報データを取り扱う第二の情報処理装置で処理するための前記第一のフォーマットの情報データの圧縮符号化方法に関する情報と共に記憶するための半導体記憶素子を内部に有する記憶媒体とからなる情報伝送システム。
【請求項１１】
前記ファイル管理情報は、当該記憶媒体に記憶された前記第一のフォーマットの情報データに関する情報源記述データを含むことを特徴とする請求項９記載の情報伝送システム。
【請求項１２】
前記情報源記述データは、当該情報データの名称または属性、当該情報データの表現方法のいずれかの情報を含むものであることを特徴とする請求項１１記載の情報伝送システム。
【発明の詳細な説明】
【技術分野】
【０００１】
本発明は、画像情報や音声情報等の異なるフォーマットの情報データを扱う情報処理装置相互間においてこの情報データの伝送処理を共通化して行える情報伝送システム及び情報伝送方法に関する。
【背景技術】
【０００２】
従来から、パーソナルコンピュータ，ワークステーション，電子手帳，プリンタ，コピー機等種々の情報機器が開発され、これらの機器の間で相互に情報を伝達する機会が増えている。こうした情報の伝達にはＬＡＮ（ローカルエリアネットワーク）を用いた方法が良く知られている。ＬＡＮを用いた方法は、（１）これらの機器がＬＡＮに対応する能力を持っていることと、（２）ＬＡＮというインフラストラクチャを予め準備しておかねばならないということが条件になる。この条件から判断すると、既に導入した機器がＬＡＮに対応できなければ、こうした相互の情報の伝達は出来ないことを意味している。ユーザからして見ればこうした目的に機器の導入を図るためには従来機器に代わる新たな機器を導入する必要性のあることを意味し、ユーザには大きなコスト負担を強いることになる。ことに、ＬＡＮに対応する機器は主にコンピュータを中心とした機器に限られている。また、ＬＡＮを構築するほどの規模を持たない場合、複数機器間での情報の伝達ができない組み合わせも出てくる。
【０００３】
近年、情報機器のパーソナル化、ポータブル化が進んでおり、こうした機器にＬＡＮ対応の機能を持たせることが、ポータブル化を阻害する面もあるため必ずしも適しているかどうか疑問な点もある。
【０００４】
扱う情報の種類が、近年のマルチメディア化の流れとともに、従来の文字情報、計算機データ情報から、音声情報や画像情報まで広がって行く趨勢にある。こうした情報を蓄える手段として、磁気ディスク、磁気テープなどがある。しかし、こうした蓄積メディアをドライブする機器は主に、コンピュータ機器に限られていることから、情報の伝達できる範囲が限られていた。蓄積メディアをドライブする機器の中ではフロッピーディスク（Ｒ）及びドライブが媒体とさせることでこうした目的にはある程度適しているが、ドライブの大きさ、消費電力、耐震性などポータブル化で要求される項目に合致しない点もあり、適しているとはいえない。また、フロッピーディスク（Ｒ）は情報転送速度が遅く画像情報の様な情報量の大きい情報を扱う際、時間がかかるという欠点と記憶容量そのものが小さいため、情報を格納できないという欠点がある。
【０００５】
ＩＣカードを用いて一部の機器と情報の伝達を行う試みがなされているが、このＩＣカードに用いられる半導体記憶素子はＳＲＡＭと呼ばれる素子で、情報の記憶保持には電源を必要とし、現にＩＣカード内にバックアップの電池を内蔵している。ＩＣカード内にバックアップの電池を内蔵しているが故に、記憶された情報の信頼性を確保するための手段をカードに内蔵することになり、カードのコストを上昇させることにもなっている。また、電池の消耗により重要な記憶内容が消失することからユーザは定期的に電池の交換を強いられるという不便さもある。
【０００６】
最近、不揮発性半導体記憶素子に用いる固定磁気ディスク代替のドライブが出現してきた。固定磁気ディスクは本来、ＣＰＵ（中央処理装置）との間で、データのやり取りをするための多くの機能をドライブ側に持たせているため、こうした代替ドライブは情報の伝達の手段に用いるには機能が重すぎるためコスト上昇を招くことになる。
【０００７】
情報伝達の方法として、携帯電話などの通信機器との接続性も重要な項目である。携帯電話は本来、電話音声の伝達に使用されるがこれにディジタル・データを乗せることも可能である。モデム信号或いはディジタルデータをそのまま伝達することも可能になってきた。フロッピーディスク（Ｒ）のデータをこの様な携帯電話を用いて伝達することが可能であるが、フロッピーディスク（Ｒ）及びドライブは、携帯電話に内蔵するには大きすぎ、また消費電力が大きいため、電池で駆動する機器には不向きである。ＩＣカードを用いる方法も考えられるが、上述の通り、記憶された情報の信頼性確保に、こうした電池駆動機器に応用したときの不安が残る。
【０００８】
特にあるフォーマットの情報データを属性など共に記憶媒体に記録し、情報処理装置で読み出して属性などに応じて処理を行なうことは、従来発明においても実施されているものの、異なるフォーマットのデータを処理する複数の情報処理装置間において、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することはなされていない。
【特許文献１】特開平２−１５７９８７号公報
【発明の開示】
【発明が解決しようとする課題】
【０００９】
以上述べたように、従来からＬＡＮ等の伝送線路に接続された情報処理装置間で画像情報や音声情報等のディジタル情報データを伝送処理する双方向伝送処理システムについては提案されていた。しかしながら、この様なシステムでは、情報処理装置をＬＡＮ等の伝送線路に接続した上この線路を媒介として情報データの伝送処理を行うしか方法がなく、また、同様の機能を持ち、同じフォーマットの情報データを処理できる情報処理装置間でしか伝送処理ができず限られた範囲での利用に限定されていた。また、この情報データの伝送に磁気記憶媒体を用いる方法もあったが、携帯性，情報の信頼性，耐久性に問題がある他、特定の情報処理装置相互間のみの使用に限定され、種々の装置に共通して利用できないばかりか、異なるフォーマットの情報データを扱えないという欠点があった。
【００１０】
本発明は、上記課題に鑑み成されたものであり、異なるフォーマットの情報データを処理する異なる機能を持った情報処理装置相互間でカード状の記憶媒体を媒介として情報データの伝送及び処理が簡単に行える情報伝送システムを提供することを目的とするものである。
【課題を解決するための手段】
【００１１】
上記目的を達成するために、本発明においては、それぞれ異なるフォーマットの情報データを処理する複数の情報処理装置と、第一の情報処理装置で取り扱われる第一のフォーマットの情報データを記憶するための半導体記憶素子を内部に有する記憶媒体とからなり、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することを特徴とする情報伝送システムを提供する。
【００１２】
また本発明においては、それぞれ異なるフォーマットの情報データを処理する複数の情報処理装置と、第一の情報処理装置で取り扱われる第一のフォーマットの情報データを記憶するための半導体記憶素子を内部に有する記憶媒体とからなり、当該記憶媒体に記憶された第一のフォーマットの情報データを、当該第一のフォーマットの情報データと合わせて当該記憶媒体に記憶されたその第一のフォーマットの情報データの圧縮符号化方法に関する情報と共に読み出し、第二のフォーマットの情報データを処理する第二の情報処理装置で処理することを特徴とする情報伝送システムを提供する。
【００１３】
また本発明の情報伝送システムにおいて、前記ファイル管理情報は、当該記憶媒体に記憶された前記第一のフォーマットの情報データに関する情報源記述データを含むことを特徴とする。また本発明の情報誌システムにおいて、前記情報源記述データは、当該情報データの名称または属性、当該情報データの表現方法のいずれかの情報を含むものであることを特徴とする。
【００１４】
また本発明においては、第一の情報処理装置で取り扱われる第一のフォーマットの情報データを記憶可能な半導体記憶素子を内部に有する記憶媒体を介して、当該記憶媒体に記憶された第一のフォーマットの情報データを、当該第一のフォーマットの情報データと合わせて当該記憶媒体に記憶されたその第一のフォーマットの情報データのファイル管理情報と共に読み出し、第二のフォーマットの情報データを処理する第二の情報処理装置で処理することを特徴とする情報伝送方法を提供する。
【００１５】
また本発明においては、第一の情報処理装置で取り扱われる第一のフォーマットの情報データを記憶可能な半導体記憶素子を内部に有する記憶媒体を介して、当該第一のフォーマットの情報データと合わせて当該記憶媒体に記憶されたその第一のフォーマットの情報データの圧縮符号化方法に関する情報と共に読み出し、第二のフォーマットの情報データを処理する第二の情報処理装置で処理することを特徴とする情報伝送方法を提供する。
【００１６】
また本発明の情報伝送方法において、前記ファイル管理情報は、当該記憶媒体に記憶された前記第一のフォーマットの情報データに関する情報源記述データを含むことを特徴とする。また本発明の情報伝送方法において、前記情報源記述データは、当該情報データの名称または属性、当該情報データの表現方法のいずれかの情報を含むものであることを特徴とする。
【００１７】
また本発明においては、第一の情報処理装置と、前記第一の情報処理装置で取り扱われる第一のフォーマットの情報データを、前記第一のフォーマットと異なる第二のフォーマットの情報データを取り扱う第二の情報処理装置で処理するための前記第一のフォーマットの情報データのファイル管理情報と共に記憶するための半導体記憶素子を内部に有する記憶媒体とからなる情報伝送システムを提供する。
【００１８】
また本発明においては、第一の情報処理装置と、前記第一の情報処理装置で取り扱われる第一のフォーマットの情報データを、前記第一のフォーマットと異なる第二のフォーマットの情報データを取り扱う第二の情報処理装置で処理するための前記第一のフォーマットの情報データの圧縮符号化方法に関する情報と共に記憶するための半導体記憶素子を内部に有する記憶媒体とからなる情報伝送システムを提供する。
【００１９】
また本発明の情報伝送システムにおいて、前記ファイル管理情報は、当該記憶媒体に記憶された前記第一のフォーマットの情報データに関する情報源記述データを含むことを特徴とする。また本発明の情報伝送システムにおいて、前記情報源記述データは、当該情報データの名称または属性、当該情報データの表現方法のいずれかの情報を含むものであることを特徴とする。
【００２０】
かかる発明の構成において、本発明の構成要件たるカード状の記憶媒体は、不揮発性半導体記憶素子が少なくとも内部に備えられており、この記憶素子は電源を用いないで異なる種類の情報データの記憶保持が行えるものである。このカード状の記憶媒体を媒介として、異なるフォーマットの情報データを扱い、機能も異なる情報処理装置相互間で伝送処理手段により情報データを共有化した伝送及び処理が行える。従って本来種々な情報処理装置が有していた特徴を生かしたまま、これらの装置相互間で信頼性のある情報データを携帯性の優れたカード状の記憶媒体を媒介として双方向に伝送できると共にデータ処理が行える。また、カード状の記憶媒体の代りに伝送路等の伝送手段を用いたり、これらの組み合せであっても同様の伝送処理が行える。
【発明の効果】
【００２１】
本発明によれば、本来それぞれ異なるフォーマットの情報データを取り扱う機能の異った各情報処理装置が有している特徴を生かしたまま、これらの装置相互間で信頼性のある情報データを携帯性の優れたカード状の記憶媒体を媒介として双方向に伝送できると共に、上記各情報処理装置において、カード状の記憶媒体に記憶されたそれぞれの情報データを共有化した処理が可能となる。
【発明を実施するための最良の形態】
【００２２】
以下、図面を参照して本発明の一実施例を説明する。図１は、本発明に係る情報伝送システムの一構成を示した概念図である。同図に示した様に、同図の中央にある不揮発性記憶素子を有するカード状の記憶媒体１（ここでは、以下ＩＣカードと略記する。）を媒介にして、同図のＩＣカードを中央にするとその周りにあるＩＣカード１を挿着できるカードインターフェースを具備した種類の異なる複数の情報処理装置との間で相互に情報データの伝達を行う。ここでは種類の異なる複数の情報処理装置とは、各情報処理装置の機能がそれぞれ異なるものであり、かつ、処理する情報データのフォーマットがそれぞれ異なっているものをいう。各情報処理装置との円周方向の矢印は、情報伝送線路等の情報伝達手段を示しており、例えば、公衆回線とか、ＬＡＮ（ローカル・エリア・ネットワーク）がそれにあたる。
【００２３】
ここで、公衆回線等の情報伝達手段を媒介として、各情報処理装置間の情報データの伝送処理について、図１のＦＡＸ８とマルチメディアレコーダ９を一例にとり以下に説明する。ＦＡＸ８とマルチメディアレコーダ９は公衆回線等の情報伝送手段に既に接続されているものとする。ＦＡＸ８内の情報データをマルチメディアレコーダ９に伝送する場合を考えると、既に、ＦＡＸ８内部のメモリに文書や画像等の情報データが蓄えられており、ＦＡＸ８内部にあり図示していない送信部が、メモリに蓄えられている情報データにＦＡＸ８固有の識別情報を付加して、このデータをマルチメディアレコーダ９に情報伝達手段介して伝送する。
【００２４】
マルチメディアレコーダ９では、伝送されてきたデータの識別情報を読み出し、この情報に基づいてどの情報処理装置から伝送されてきたデータか認識する。その結果、この場合ＦＡＸ８から伝送されてきたデータであるとわかり、そのＦＡＸ８で扱われているフォーマット処理に従ってマルチメディアレコーダ９内部で情報データを処理する。その逆の伝送も上述した方法で行うことができる。これにより、異なる機能を持つ、異なるフォーマットの情報データを扱う各情報処理装置間で情報伝達手段を介して伝送処理が行える。この例として公衆回線等の伝送路を介しての情報伝送処理について説明したが、以下に述べるＩＣカードを媒介とした情報伝送処理は、回線接続という手間がはぶけ同様のことが行える。たとえ、両者を組み合せても同様の伝送処理が行えることが言うまでもない。
【００２５】
次にこのＩＣカード１の一内部構成について図２を用いて以下に説明する。同図に示した様にＩＣカード１内部の回路と外部の情報処理装置や電源供給装置とのインターフェースは、アドレス信号端子２０，データ信号端子２１，コントロール信号端子２２，ステータス信号端子２３，外部電源端子２４により行われる。外部電源端子２４から供給された電源はレギュレータ２６を介し、必要な電源電圧に変換され、内部回路に供給される。外部電源端子２４に供給される電圧は通常５Ｖを用いることが多いが、その他の電圧を必要とする素子をＩＣカード１内部に含んでいる場合は、別の電圧、例えば１８Ｖ程度の高電圧を別に供給することがあっても良い。
【００２６】
コントローラ２５はＩＣカード１外部から指定したＩＣカード１内の情報をアクセスする時に、不揮発性半導体記憶素子２７の実際に記憶されているアドレスにアクセスし、記憶データの読みだし書き込みなどを制御したりするために用いられる。ＩＣカード１にはメモリモードとＩ／Ｏモードの２種類の使い方が考えられる。メモリモードとはＩＣカード１内の不揮発性半導体記憶素子２７（メモリ）のアドレスを直接扱うモードで、ＩＣカード１は拡張メモリの様に振る舞う。一方、Ｉ／ＯモードはＩＣカード１をファイルとして扱うためメモリアドレスを直接指定することはない。図１の考え方に従うと様々な情報データがＩＣカード１内に格納されるため、情報データをファイルと見なすＩ／Ｏモードで動作させた方が扱いやすい。これからの説明はＩ／Ｏモードでの動作を中心に行う。
【００２７】
ＩＣカード１外部からＩＣカード１内のファイルをアクセスするにはデータ信号とコントロール信号を用いてコントローラ２５によってファイル情報を引き出す。ファイル情報も不揮発性半導体記憶素子２７に格納されているためコントローラ２５は不揮発性半導体記憶素子２７のファイル情報アドレスを生成しＡＤＲ信号として信号線２８を介して不揮発性半導体記憶素子２７をアクセスし、Ｉ／Ｏライン２９を通じて、コントローラ２５にデータを導きデータ信号とステータス信号とをデータ信号端子２１とステータス信号端子２３を介して外部へ出力する。このとき重要なのは少なくともファイル情報をアクセスするため不揮発性半導体記憶素子２７における各ファイル情報のアドレスが予め取り決められている必要がある。アクセスするための何等かの情報とはファイル情報のポインタだけでも良いし、或いはファイル情報そのものであっても良い。
【００２８】
アドレスの予めの取り決めには不揮発性半導体記憶素子２７のメモリ空間の特定場所を意味し、通常はアドレス空間の最上位部もしくは最下位部が使われる。不揮発性半導体記憶素子２７から取り出されたファイル情報をもとにコントローラ２５はファイルの不揮発性半導体記憶素子２７における先頭アドレスやサイズ、情報の種別などを得て、ＩＣカード１外部にデータ信号端子２１を通じて出力すると共に、ファイル情報であることを示すステータス信号をステータス信号端子２３から同時に出力する。更に、ファイルの情報をアクセスする要求が、データ信号とコントロール信号を組み合わせれば、先に得た先頭アドレスやサイズなどのファイル情報に基づき、不揮発性半導体記憶素子２７の実際のアドレスをＡＤＲ信号として生成し不揮発性半導体記憶素子２７をアクセスし、Ｉ／Ｏライン２９を通じてデータをコントローラ２５に取り込み必要な形式に変換して、データ信号端子２１を通じて出力すると同時にファイルデータであることを示すステータス信号をステータス信号端子２３から出力する。以上は主にファイルを読み出す動作である。
【００２９】
ファイルを書き込む場合には、コントローラ２５で不揮発性半導体記憶素子２７の空白領域をファイル情報から把握して、ファイルの先頭アドレスを決定し、データ信号端子２１を通じて、ファイルデータであることを示すコントロール信号の組み合わせで得られた書き込みファイルデータをＩ／Ｏライン２９を通じて、不揮発性半導体記憶素子２７に書き込んでいく。このときＰＧＭ信号を不揮発性半導体記憶素子２７に出力して、不揮発性半導体記憶素子２７に書き込みモードであることを認知させる。ＰＧＭ信号は場合によってはレギュレータ２６に対し不揮発性半導体記憶素子２７に通常の供給電圧とは異なるプログラム用の高電圧を供給するように働きかけることもある。コントローラ２５は不揮発性半導体記憶素子２７に書き込む一方、書き込んだデータの量をカウントし、書き込みが終了すれば、不揮発性半導体記憶素子２７のファイル情報の領域にサイズ、先頭アドレスなどのファイル情報の更新のための書き込みも合わせて行う。情報の種別に関する情報がＩＣカード１外部より与えられ、ファイル情報として書き込まれる。
【００３０】
この他に、アドレス信号とコントロール信号を組み合わせファイル情報をアクセスする方法も考えられる。この考え方は不揮発性半導体記憶素子２７のアドレス空間をデータの領域とファイル情報などの属性情報の領域に論理的に分割し、アドレス信号と属性情報の領域を指示するコントロール信号を用いて、不揮発性半導体記憶素子２７をアクセスする方法である。動作はＩ／Ｏモードと特に変わることはないので説明は省略する。アドレス空間をデータの領域とファイル情報などの属性情報の領域に論理的に分割することで扱いは簡単になる反面、ファイルデータ等を扱うにはアドレス制御を外部で扱う必要があることが大きな違いである。ＩＣカード１固有の情報で、例えば、メモリサイズ、素子の種類、素子のスピードなどについて上記の領域の論理的分割が有効となる。
【００３１】
ＩＣカード１による情報データの伝達とは例えば、情報データとして画像、音声、テキスト情報などを取り込むことのできるマルチメディアレコーダにＩＣカード１を装着し、個々から得られた情報を情報処理装置として同図に示したＷＳ（ワークステーション）４やＰＣ（パーソナルコンピュータ）１１、ＷＰ４（ワードプロセッサ４）、Ｐｅｎ−ＰＣ／ＷＰ２（ペン入力対応パーソナルコンピュータ、ワードプロセッサ２）に供給する。これらの機器で加工処理された情報に例えば、ＦＡＸ８（ファクシミリ８）のデータに変換されて、ＦＡＸ８を用いて通信して情報の伝達を行う。或いは、マルチメディアレコーダ９から得られた情報をＴＥＬ７（電話機７）を通じ伝送し、電話機に装着されたカードに保存する。
【００３２】
ＰＰＣ６（複写機６）では、図示していないスキャナ走査された画像情報をそのままＩＣカード１に記憶し、ＷＳ１０，ＰＣ１１，ＷＰ４等への画像情報として供給したり、ＷＳ１０，ＰＣ１１，ＷＰ４等で生成された情報をＩＣカード１を媒介して、ＰＰＣ６に供給しプリンタ５として動作させたりする。プリンタ５においてはプリントすべき情報をこのＩＣカード１に保存することにより、他の機器への伝達を行うことができるようになる。マルチメディアレコーダ９とマルチメディアプレーヤ３を組み合わせることで、情報を操作したり、表示することが出来るようになる。ここで強調されることは、それぞれの機器の本来持ち合わせている機能のほかに、本ＩＣカード１を組み合わせることで、間接的に他の機器の機能を発揮させることか可能となりシステム的運用が可能となる点である。
【００３３】
更に、こうした機能がＩＣカード１対応を行うことだけで容易に行えるため、ユーザにとっても経済的負担が少なくて済む。既に導入された機器に対してはアダプタを装着することで、新規に導入する場合にはＩＣカード１対応機器を導入すれば良い。従来技術の項で述べたようにＩＣカード対応は他の通信インフラ例えばＬＡＮなどの対応に比べ安値で実現できるため、ユーザに対する経済的負担が少ないのが大きな特徴である。
【００３４】
図３には、本発明のＩＣカード内部での情報データの一格納例を示している。同図（ａ）はポインタ及びファイル管理情報を情報データとは別の記憶領域に格納する一例を示したものであり、同図（ｂ）は、ポインタ及びファイル管理情報と情報データを同じ記憶領域に格納する一例を示したものである。同図（ａ）には、ポインタ３１，３３と呼ばれるどの記憶領域の先頭のアドレスを示す情報や、ファイル管理情報３２と呼ばれるこのポインタの示す記憶領域に記憶されているファイルの属性情報つまりどの情報処理装置により書き込まれた情報データか、また音声や画像等のどの様なデータが格納されているものか、文字コードや圧縮符号化等の情報データの表現方法等について書き込まれている記憶領域部３０が示されている。このポインタ「０００１」（３１）や「００１０」（３２）が示すアドレス３５，３７それぞれに対応した記憶領域３６，３８にはこれらの情報データが格納されている。この様な格納方法では、記憶領域部３０をコンパクトにしたい時に有効な手法となる。また、図３（ｂ）にはポインタ部を含め、ファイルの内容を読む為のファイル管理情報と情報データも一括して記憶した例が示されている。
【００３５】
図４は、ファイル管理情報の記憶領域での一格納例を示したものである。同図に示された格納例は、図３（ａ）に示されたポインタやファイル管理情報において、特にファイル管理情報等のような長さが不確定なものを分割して格納することで、記憶領域を有効に利用できるようにした一例である。まずＩＤ４０には、データ４２の種別が書き込まれており、この場合は例えばデータ４２はファイルポインタに関する情報であることを示すデータ列が書き込まれている。次のポインタ４１には、分割された情報が次に格納されているはじめの部分、この場合は、ＩＤ４３に関するデータ列が書き込まれている。これらのＩＤ４０，ポインタ４１，データ４２のデータ列のその後には、ＩＤ４３が書き込まれている。ＩＤ４３には、データの種別としてファイルサイズに関する情報であることを示すデータ列が書き込まれている。次のポインタ４４には、分割された情報が次に格納されているはじめの部分、この場合は、ＩＤ４６に関するデータ列が書き込まれている。このポインタ４４の次には、ファイルサイズそのものを示すデータ４５の列が格納され次のＩＤ４６の情報へと移っていく。この様にポインタを用いて情報を分割して連鎖させながら読み出すことができ、最後は終了を示すＩＤ４９で終わらせる。これによりファイル管理情報量に応じて、これを分割して格納することができる。
【００３６】
図５は、ファイル情報記憶領域を更に細かく分けてサブファイル情報記憶領域を設けた一例である。同図（ａ）は、ファイル情報記憶領域を示しており、同図（ｂ）は、その次の段階としてサブファイル情報記憶領域を示したものであり、同図（ｃ）は、同図（ｂ）で分けられたサブファイル情報毎のファイルデータの記憶領域になる。例えば、音声や動画像などの連続性のある情報は、秒単位やフレーム単位で取り扱われることが多く、これらの単位での符号化復号化も行われているのが通常である。この様に取り扱われる背景には、音声なら頭出しであったり、画像でもある場面からの再生に利便性があるためである。こうした場合には、同図（ａ）に示した通り、ポインタ情報“０００１”を読み取りこれに基づいて、サブファイル情報記憶領域（同図（ｂ）参照）のポインタ情報を読む。このサブファイル情報記憶領域は、秒単位、フレーム単位にポインタ情報“０００１”，“００１０”，“００１１”を設けており、このポインタ情報の示すファイルデータを読み取ることによりファイルデータ１，２，３それぞれのアクセスすることができるのでデータのアクセス性を向上させることができる。（同図（ｃ）参照）
図６は、図１に示した情報伝送システムにおける様々がデータを取り扱うときの基本概念を示した図である。まず情報源発生側６０で発生した情報は、伝達の一手段としてＩＣカードが用いられ、この情報源発生側６０のフォーマットに従った情報がそのままＩＣカードに一担記憶されて、このＩＣカードから情報源処理側６１がこの情報を読み取るという手順で伝達される。この時この情報であるデータ６４には、テキスト，音声，画像など個別のフォーマットを有している場合が多いので、この前段に情報源記述データ６３を付加してＩＣカードに記憶させる。この情報源記述データ６３によりデータ６４の名称や属性，符号化の方法等が明確化でき、情報源発生側６０におけるデータ６４の取り扱いを詳細に示すことができるので、情報源処理側６１でこのデータを受け取ってもその処理が適切に行える。また、この情報源記述データ６３は、ファイル情報記憶領域を利用すれば記憶領域の有効利用が図れる。
【００３７】
図７は、物理形状の違うＩＣカードを統一的に取り扱う場合の一構成を示した図である。ＩＣカード７２は、ＪＥＩＤＡ（（社）日本電子工業振興協会）で定められたＩＣカードとは異なる形状，ピン数，配置の構成をしている。このＩＣカード７２をＪＥＩＤＡで定められた標準的ＩＣカードとして用いるために、Ｉ
Ｃカード７２に、変換用のアダプタ７０を取り付ければよい。このアダプタ７０は、例えば、ＪＥＩＤＡで定められた形状に合致するものである。このＩＣカード７２は、ＪＥＩＤＡで定めるＩＣカードよりも小さい。このため携帯性に優れている。アダプタ７０は、ＩＣカード７２のピン７３に適合したコネクタ及びＪＥＩＤＡで定めるＩＣカード間での信号のやり取りをするための信号変換をする論理回路及びＪＥＩＤＡで定めるＩＣカードと同一のピン７４を有する。また、アダプタ７０には、電源を内蔵させても良いし、外部から供給を受けても良い。同図の例では、イジェクタ７１を設けてＩＣカード７２の抜き差しを容易にさせている。このイジェクタの位置は限定されないけれど、ＩＣカードの厚み，幅を増加させるものであってはならない。
【００３８】
図８は、本発明の他の実施例としてＩＣカード内部の一構成を示した図である。同図中のＩＣカードの内部構成におけるアドレス信号端子８０やデータ信号端子８１やコントロール信号端子８２やステータス信号端子８３は、ＩＣカードとＩＣカードへ情報データを読み書きする機器との情報の入出力端子となっている。コントローラ８５は外部から指定したＩＣカード内の情報をアクセスする時に、不揮発性半導体記憶素子８６や半導体記憶素子８８に実際に記憶されているアドレスを変換したり、記憶データの読み出し書き込みなどを制御したりするために用いられる。また、外部電源供給端子８４から供給された電源はレギュレータ８７を介し、必要な電源電圧に変換され、内部の回路に供給される。外部電源供給端子８４に供給される電圧は通常５Ｖを用いることが多いが、その他の電圧を必要とする素子をＩＣカード内部に含んでいる場合には、別の電圧例えば１８Ｖ程度の高電圧を別に供給することがあっても良い。
【００３９】
ＩＣカードの外部からＩＣカード内のファイル情報をアクセスするにはデータ信号端子８１から入力されたデータ信号とコントロール信号端子８２から入力されたデータ信号を用いてコントローラ８５にファイル情報を引き出す。ファイル情報も不揮発性半導体記憶素子８６に格納されているためコントローラ８５は不揮発性半導体記憶素子８６のファイル情報アドレスを生成しアドレス信号として不揮発性半導体記憶素子８６をアクセスし、信号線を通じて、コントローラ８５にデータを導きデータ信号端子８１を通じて出力すると共に、ステータス信号端子８３からステータス信号を外部へ出力する。このとき重要なのは少なくともファイル情報をアクセスするための何等かの情報が格納されている不揮発性半導体記憶素子８６におけるアドレスが予め取り決められている必要がある。アクセスするための何等かの情報とはファイル情報のポインタだけでも良いし、或いはファイル情報そのものであっても良い。
【００４０】
アドレスの予めの取り決めには不揮発性半導体記憶素子８６のメモリ空間の特定場所を意味し、通常はアドレス空間の最上位部もしくは最下位部が使われる。不揮発性半導体記憶素子８６か取り出されたファイル情報をもとにコントローラ８５はファイル情報の不揮発性半導体記憶素子８６における先頭アドレスやサイズ、情報データの種別などを得て、ＩＣカード外部にデータ信号端子８１を通じて出力すると共に、ファイル情報であることを示すステータス信号をステータス信号端子８３から出力する。更に、ファイル情報をアクセスする要求が、データ信号端子８１から入力されたデータ信号とコントロール信号端子８２から入力されたコントロール信号を組み合わせできれば、先に得た先頭アドレスやサイズなどのファイル情報に基づき、不揮発性半導体記憶素子８６の実際のアドレスをアドレス信号として生成し不揮発性半導体記憶素子８６をアクセスし、信号線を通じてデータをコントローラ８５に取り込み必要な形式に変換して、データ信号端子８１を通じて出力すると共にファイルデータであることを示すステータス信号をステータス信号端子８３に出力することができる。以上は主にファイルを読み出す動作である。
【００４１】
ファイルを書き込む場合には、コントローラ８５で不揮発性半導体記憶素子８６の空白領域をファイル情報から把握して、ファイルの先頭アドレスを決定し、データ信号端子８１を通じてファイルデータであることを示すコントロール信号の組み合わせで得られた書き込みファイルデータを信号線を通じて、不揮発性半導体記憶素子８６に書き込んでいく。このときＰＧＭ（プログラム）信号をコントローラ８５から不揮発性半導体記憶素子８６に出力して、この不揮発性半導体記憶素子８６に書き込みモードであることを認知させる。このＰＧＭ信号は場合によってはレギュレータ８７に対し不揮発性半導体記憶素子８６に通常の供給電圧とは異なるプログラム用の高電圧を供給するように働きかけることもある。コントローラ８５は不揮発性半導体記憶素子８６に書き込む一方、書き込んだデータの量をカウントし、書き込みが終了すれば、不揮発性半導体記憶素子８６のファイル情報の領域にサイズ、先頭アドレスなどのファイル情報の更新のための書き込みも合わせて行う。情報処理装置固有の情報もＩＣカード外部より与えられ、ファイル情報として書き込まれる。
【００４２】
半導体記憶素子８８に追加された半導体記憶素子は不揮発性半導体記憶素子８６のファイル情報を一時的に蓄えることでＩＣカードとのやり取りの速度を速めたりする一時バッファとして用いるとき有効である。また、コントローラ８５から書き込みのための信号の供給を受け書き込みの制御がなされる。一時バッファとしてはファイル情報を半導体記憶素子８８に複写し、半導体記憶素子８８を介して外部とアクセスすることもできる。不揮発性半導体記憶素子８６は書き込み回数に制限のあるものも存在するので、こうした場合には半導体記憶素子８８を介して通常のアクセスを行い、最終的に不揮発性半導体記憶素子８６にファイル情報を格納するという方法で不揮発性半導体記憶素子８６の書き込み回数を低減し寿命を飛躍的に延ばすこともできる。また、アドレス空間を直接扱う場合には、半導体記憶素子８８に実行形式のプログラムを不揮発性半導体記憶素子８６からダウンロードしておくことで直接パーソナルコンピュータから実行することもできる。
【００４３】
図９は、ＩＣカードを用いた各種機器の構成例を示した図である。同図（ａ）は、マルチメディアレコーダを示したものである。このマルチメディアレコーダは、図７に示した小さいサイズつまり、ハーフサイズのＩＣカードを使用している。ＪＥＩＤＡで定めたＩＣカードの形状では、ＩＣカード自体の大きさの制約を受けるためこのコンセプトを満足できないため、通常のＩＣカードの大きさの半分のサイズを利用している。また、同図（ｂ）に示した携帯用電話も超小型化の傾向に伴いハーフサイズのＩＣカードを使用している。同図（ｃ），（ｄ）に示したワードプロセッサ，パーソナルコンピュータでは、例えばＪＥＩＤＡで定められた通常のＩＣカードを使用している。この様に、ハーフサイズのＩＣカードを用いる機器間や通常のＩＣカードを用いる機器間ではＩＣカードそのままが使用できるが、ハーフサイズのＩＣカードを通常サイズのＩＣカードとして使用するためには、図７に示したアダプタを利用してハーフサイズのＩＣカードを通常サイズのＩＣカードに変換して使用することができる。この様に、ハーフサイズのＩＣカードを使用すれば、同図（ａ），（ｂ），（ｃ），（ｄ）に示した機器間で共通に情報の伝達が行える。
【００４４】
上述した実施例では、ＩＣカードを挿入するためのスロットがその機器自体に備えられている例を説明したが、機器とは別にオプションとしてＩＣカードを挿入して情報データの読み書きが行えるＩＣカードアクセス装置を備えたものでも同様の効果を奏する。
【００４５】
本発明に係るＩＣカードの他の構成例として、図１０に示した一構成について以下に説明する。図１０は、情報データを記憶する不揮発性半導体メモリの他に、一般的に用いられる例えば読み出し専用メモリ（Ｒｅａｄ  ｏｎｌｙ  ｍｅｍｏｒｙ）等で構成されたメモリを設け、このメモリに別途ＩＣカードの属性情報を記憶させるという
ＩＣカードの構成を示している。図１０に示している通り、このＩＣカードは、各種の機器に接続するためピンコネクタ９０を設けている。これは、例えば、ＪＥＩＤＡ／ＰＣＭＣＩＡに準拠させるためには、６８ピンのコネクタが用いられる。このピンコネクタ９０には、情報データの読み書きを行うための主メモリである複数の不揮発性メモリ９３，９４やＩＣカードの種別を示すＩＣカードの属性情報を格納する属性メモリ９２と各種の機器との制御を行うメモリコントロール部９１が接続されている。ここでは、不揮発性メモリは、複数個設けられているかのように図示しているが、複数の不揮発性メモリの登載があくまで可能であり、単体で登載されていてもよい。ピンコネクタ９０には、各種の信号に対応するピンが設けられており、図１０に示したＩＣカードの左側に図示された矢印（以下インターフェース信号という）がこれに値する。各種のインターフェース信号は、以下の通りである。
【００４６】
Ｄ７−０      双方向の８ビットデータバス。カードはデータリード時以外ハイイピーダンスとする。
【００４７】
Ａ９−１      アドレス信号。
【００４８】
−ＣＥ１      カードイネーブル信号。カードをアクセスする際、−ＣＥ  信号をロー保つこと。
【００４９】
−ＯＥ        アウトプットイネーブル信号。本カードではアトリビュートメモリからカード属性情報、コンフィギュレーションレジスタをリードすとるきローに保つ。また、メモリカードとしてマップされているときはカード内部のレジスタセットをリードできる。
【００５０】
−ＷＥ        ライトイネーブル信号。本カードではアトリビュートメモリ、コンフィギュレーションレジスタの書き込みをする際、ローに保つ。また、メモリカードとしてマップされているときはカード内部のレジスタセットをライトできる。
【００５１】
ＲＤＹ／−ＢＳＹ  メモリカードインターフェースではＲＤＹ／−ＢＳＹ信号として機能する。
【００５２】
（−ＩＲＥＱ）    Ｉ／Ｏ  カードとしてコンフィグレーションされたときは、割り込み要求信号として機能する。メモリカードインターフェースのＲＤＹ／−ＢＳＹ状態カード内部のコントローラ（ステートマシン）、または、メモリのいずれかがＢＳＹ  状態になると、この信号はローになる。Ｉ／Ｏ  カードとしてコンフィギュレーションされたときの割り込みは下記の条件で発生する。
【００５３】
１）イレーズ終了時
２）プログラム終了時
割り込みモードはコンフィギュレーションオプションレジスタを設
定することにより、レベルモードか、パルスモードかを選択できる。
【００５４】
この信号はオープンドレインで出力されるため、ホストはプルアップすること。
【００５５】
−ＩＯＲＤ      Ｉ／Ｏ  カードとしてコンフィギュレーションされているとき、カード内部のレジスタセットをリードする。
【００５６】
−ＩＯＷＲ      Ｉ／Ｏ  カードとしてコンフィギュレーションされているとき、カード内部のレジスタセットをライトする。
【００５７】
ＲＥＳＥＴ      カード内部をリセットする。
【００５８】
−ＣＤ１      カード検出信号。カードからはローレベルの信号が出力され、ホストインターフェースがともにローレベルを検出したとき、カードが正しく挿入されたことを示す。また、この信号はカードの抜去検出にも用いる。
【００５９】
−ＩＮＰＡＣＫ    入力応答信号。−ＣＥ  と−ＩＯＲＤ  がローレベルでアドレスバス上のアドレスがカード内のＩ／Ｏ  ポートと一致したときローレベルを出力する。
【００６０】
この信号はオープンドレインで、ＩＣメモリカードインターフェースのときはハイインピーダンスである。
【００６１】
注：ホストはバッファ制御に−ＩＮＰＡＫ信号を使用しないことを推奨する。メモリカードインターフェースでのリード、およびアトリビュートメモリリード時ではこの信号はサポートされない。
【００６２】
ＶＣＣ        ５Ｖの動作用電源。
【００６３】
ＶＰＰ１      １２Ｖ  のプログラム電源。アトリビュートメモリを書き込みするときに使われる。アトリビュートメモリの書き込みを行わない情報機器はＶＰＰ１は５Ｖ（ＶＣＣ）  でなければならない。通常、アトリビュートメモリの書き込みは専用プログラマを使う。
【００６４】
ＧＮＤ        グランド。
【００６５】
ＩＣカードの属性情報には、カードの属性に係る、カード形状・寸法・電気的特性などの物理レイヤ，カードのデータ構造の基本構造を決める基本互換レイヤ、例えば、メモリカードのデバイス，容量，アクセススピードなどカードを物理的にアクセスするのに必要な情報などがある。これらの情報は必ずしも書き換え可能である必要がなく不揮発性メモリ１に記憶しておかなくても良いことから、別途属性メモリ３を持たせる意味が出てくる。属性情報は、この他にも、データフォーマットレイヤ，データ構造レイヤ，システム固有レイヤなどより高位レイヤの情報があるが、これらの情報については必ずしも属性メモリ３に格納しなくとも良く、不揮発性メモリ１に書かれていても良い。属性メモリ３は基本的に不揮発であり書き替え機能に対しての、不可、可はどの高位レイヤの情報まで属性メモリ３に格納するかで決定すれば良い事項である。属性情報はデータに比べ小さいため、属性メモリ３に追加するコストは低い。また、Ｅ２  ＰＲＯＭの様に、書き替え回数に制限のある素子を用いた場合、小容量の書き替え回数の依頼度の高い属性メモリ３に、上記の情報を格納することでカード全体の依頼度を高められる。
【００６６】
次に、図１１に示した図１０中の不揮発性メモリ９３，９４の内部構成とそれに接続されるアドレスレジスタ９５とデータレジスタ９６とを含めた構成について以下に説明する。Ｄ７−０から入力した信号は、アドレスレジスタ９５の情報に基づいてＭＡ３１−０の信号線を介して不揮発性メモリ９３，９４をアクセスする。この不揮発性メモリ９３，９４は、例えばＰＡＧＥ０〜１５を一ブロックとする複数のブロックから成っている。一方、データレジスタ９６は、Ｄ７−０の信号線からの信号に基づいて、ＭＤ７−０の信号線を介して、不揮発性メモリ９３，９４のデータバッファをアクセスし、データの読み書きを行う。
【００６７】
また、図１２には、属性メモリ９２の内部構成が示されており、これについて以下に説明する。属性メモリ９２は、カード属性情報９７やカード制御情報９８等を記憶する領域から成る。Ａ９−１の信号線を介してカード属性情報がアクセスされ、Ｄ７−０の信号線を介してデータの読み書きが行われる。属性メモリ９２内の情報は、全て偶数番地に置いた方が良い。１６ビットメモリや８ビットメモリには、偶数番地に情報データの読み書きが行われるため、これらのメモリを共通に利用するためには、都合が良いという効果があるためである。
【００６８】
上述したＩＣカードは、ＩＣカード内にＣＰＵを設けずに、このＩＣカードを挿入して用いる各種の機器内に備えられたＣＰＵでＩＣカード内のデータを演算処理させる構成にしても良い。
【００６９】
次に、図１３，１４，１５に示したＩＣカード内部の動作を表した流れ図について以下に説明する。図１３，１４，１５は、以下に述べる各種のコマンドの機能に基づいて行われる動作である。
【００７０】
（１）  メモリリード
あらかじめ設定されているメモリアドレスからデータを読み出す。データリード動作はカード内のデータレジスタを連続的にリードすることにより実行される。アドレスはこの間自動的にインクリメントされ、ページ境界を超えてリード動作を連続的に実行できる。ブロック境界ではアドレスは自動的にインクリメントされない。
【００７１】
ページ境界ではアクセスタイムが１５マイクロ秒かかり、この間カードはビジィ状態となる。ホストはページ境界上でレディ／ビジィ状態を判別する必要がある。
【００７２】
暗黙的にメモリがリードモードに設定されていることを期待してはならない。つまり、メモリリード動作を行なう場合はこのコマンドを必ず実行しなければならない。
【００７３】
（２）  ブロックイレーズ
あらかじめ設定されているメモリアドレスが含まれるブロックをイレーズする。
【００７４】
カードがＩ／Ｏ  インターフェースに構成されているときはイレーズ動作が完了すると割り込みが発生する。メモリインターフェースに構成されているときはＲＤＹ／−ＢＳＹ信号、またはステータスによりイレーズ動作の完了を検出できる。
【００７５】
（３）  チップイレーズ
あらかじめ設定されているアドレスが含まれるメモリチップをイレーズする。このコマンドを実行する際、ホストはチップ境界を意識しなければならない。  カードがＩ／Ｏ  インターフェースに構成されているときはイレーズ動作が完了すると割り込みが発生する。メモリインターフェースに構成されているときはＲＤＹ／−ＢＳＹ信号、またはステータスによりイレーズ動作の完了を検出できる。
【００７６】
（４）  プログラム
ページ単位にメモリへデータを書き込み自動的にベリファイを実行する。プログラムコマンド実行前にアドレス設定、および、データバッファライトコマンドにより、１ページの書き込みデータを転送しておく必要がある。同一ブロック内でのプログラムはページ境界でアドレスを再設定する必要はない。ページ境界でアドレスが自動的にインクリメントされる。
【００７７】
注：プログラム時、アドレスはブロック境界で自動的にインクリメントされない。プログラムの後に続くステータスリードコマンドでステータスをリードするメモリチップアドレスを指した状態にしておく必要があるためである。
【００７８】
ページへのプログラム動作はページアドレスが昇順になるように行い、ランダムなページ順でのプログラムを行ってはならない。
【００７９】
同一ページに対するデータの上書き（イレーズせずにプログラム）は最大１０回である。
【００８０】
ベリファイ動作により、データバッファの内容が変更されるため、同一データを別ページにプログラムする際も必ずデータバッファライトコマンドにより、データを転送する必要がある。また、あるページを読み出し、データバッファにあるデータを別のページにプログラムするページコピー動作はできない。
【００８１】
データバッファを介してページコピー動作を行うと誤ったデータが書き込まれる。
【００８２】
（５）  ステータスリード
次の様なステータスリードコマンドにより、メモリの内部状態を読み出すことができる。
【００８３】
−ＷＰ          ＷＲＩＴＥ  ＰＲＯＴＥＣＴ  ＳＷＩＴＣＨ  ＳＴＡＴＵＳ  
書き込み保護スイッチの状態。
【００８４】
０：  書き込み禁止
１：  書き込み許可
ＭＳＲＤＹ        ＭＥＭＯＲＹ  ＳＴＡＴＵＳ  ＲＥＡＤＹ  
メモリのレディ／ビジィ状態。
【００８５】
１：  レディ
０：  ビジィ
ＳＵＳＰＥＮＤ      ＭＵＬＴＩ−ＢＬＯＣＫ  ＥＲＡＳＥ  ＳＵＳＰＥＮＤＥＤ  
マルチブロックイレーズサスペンドコマンドにより中断して
いることを示す。
【００８６】
１：  中断中
０：  中断していない
注：本カードはマルチブロックイレーズサスペンドコマンド
を使用しないため常に“０  ”。
【００８７】
ＲＦＵ  “０  ”  Ｒｅｓｅｒｖｅｄ  ｆｏｒ  Ｆｕｔｕｒｅ  Ｕｓｅ  （Ａｌｗａｙｓ“０  ”）
予約ビット（常に“０  ”）
ＦＡＩＬ        ＰＡＳＳ／ＦＡＩＬ  
イレーズ、またはプログラム動作後のパス／フェイル状態。
【００８８】
０：  パス
１：  フェイル（エラー）
つまり、メモリリード後にステータスリードコマンドを実行する場合はステータスリードコマンドの前にリセットコマンドを実行しなければならない。
【００８９】
注：メモリリード動作の途中でステータスリードコマンドを実行できないため。本カードは冗長部をリードしないため、メモリリード動作は中断された状態で終える。
【００９０】
通常、ステータスリードコマンドではステータスをリードすべきメモリアドレスをあらかじめ設定しておく必要があるが、ブロックイレーズ、マルチブロックイレーズ、チップイレーズコマンド実行直後はアドレスを設定する必要はない。ステータスリードコマンドはメモリがビジィ状態でも受け付けられる。
【００９１】
（６）  ＩＤリード（テスト用、非公開）
２バイトのＪＥＤＥＣ  ＩＤを読み出す。ＩＤリードコマンド実行前にアドレスレジスタのすべてのバイトを００ｈ  に設定すること。
【００９２】
１６Ｍ  ビットＮＡＮＤ  ＥＥＰＲＯＭ  のＪＥＤＥＣ  ＩＤ：
第１バイト  メーカコード      ９８ｈ  
第２バイト  デバイスコード    ６４ｈ  
（７）  データバッファライト
データバッファにプログラムするデータを書き込む。データバッファライトコマンド実行前にプログラムすべきアドレスを設定しておくこと。同一ブロック内であれば、アドレスは自動的にインクリメントされるため、ページ境界でアドレスを設定する必要はない。
【００９３】
データバッファライト中にリセットコマンドで動作を中断することができる。リセットコマンド実行中は一定期間カードはビジィ状態となる。
【００９４】
（８）  データバッファリード（テスト用、非公開）
データバッファからデータを読み出す。
【００９５】
プログラムコマンド実行後にデータバッファを読み出すとベリファイ結果がビット単位で判別できる。“０  ”が正しく書き込まれたことを示し、“１  ”が書き込みエラーがあったことを示す。
【００９６】
（９）  リセット
カードおよびすべてのメモリをリセットする。リセットコマンド実行後、カードは約３マイクロ秒ビジィ状態となる。リセットコマンドはメモリがビジィ状態でも受け付けられる。
【００９７】
リセットコマンド実行後の状態：
アドレスレジスタ：  Ａｌｌ  “０  ”
データバッファ：    Ａｌｌ  “１  ”
動作モード：        メモリリードモード
【図面の簡単な説明】
【００９８】
【図１】本発明に係る情報伝送システムの一構成を示した概念図。
【図２】本発明のＩＣカードの一構成を示した図。
【図３】本発明のＩＣカード内部での情報データの一格納例を示した図。
【図４】本発明のＩＣカード内部でのファイル情報記憶領域での一格納例を示した図。
【図５】本発明のＩＣカード内部でのファイル情報記憶領域拡張の一例を示した図。
【図６】本発明に係る情報伝送システムにおけるデータの取り扱いの一例を示した図。
【図７】本発明に係るＩＣカードの他の実施例を示した図。
【図８】本発明のＩＣカードの他の実施例を示した図。
【図９】本発明のＩＣカードを用いた各種機器の構成例を示した図。
【図１０】本発明に係るＩＣカードの他の構成を示した図。
【図１１】図１０に示したＩＣカード内の不揮発性半導体メモリの一構成を示した図。
【図１２】図１０に示したＩＣカード内の属性メモリの一構成を示した図。
【図１３】本発明に係るＩＣカードの一動作を示した流れ図。
【図１４】本発明に係るＩＣカードの一動作を示した流れ図。
【図１５】本発明に係るＩＣカードの一動作を示した流れ図。
【符号の説明】
【００９９】
１，６２，７２…ＩＣカード
２７…不揮発性半導体記憶素子
６３…情報源記述データ
６４…データ
【図１】
2005100446.tif 000003
【図２】
2005100446.tif 000004
【図３】
2005100446.tif 000005
【図４】
2005100446.tif 000006
【図５】
2005100446.tif 000007
【図６】
2005100446.tif 000008
【図７】
2005100446.tif 000009
【図８】
2005100446.tif 000010
【図９】
2005100446.tif 000011
【図１０】
2005100446.tif 000012
【図１１】
2005100446.tif 000013
【図１２】
2005100446.tif 000014
【図１３】
2005100446.tif 000015
【図１４】
2005100446.tif 000016
【図１５】
2005100446.tif 000017